(57)【要約】【課題】  この機能回復補助具があれば、自分がリハビリをしたいときに何時でも何処でも自分自身でリハビリが行へ、指、手の機能回復を早めることができ、この補助具を使用することで作業療法士不足も解消でき、医療の現場では人件費の削減にも役立つ。  【解決手段】    本発明は、手の５本の指をそれぞれ差し込む袋部をもつた５指手袋と、この手袋の手差込口に一体に設けられた手袋を手首部分外側に固定するための固定片と、この固定片に固定するために設けられた、手首内側から連続して伸び出た固定用折込み片を重ね合わせ固定する、その時ゴム紐の張力を利用して手首を反り返らす、手首部分が指先が移動しないように強化した、係り止めされる固定片と固定用折込み片とからなる手袋固定部分と手首部分に位置する固定片にそれぞれ一端を固定するとともに、各他端を５指末節部分と５指中節部分にゴム紐を固定した機能回復補助具である。【選択図】図１
2011139754.tif 000002
【特許請求の範囲】
【請求項１】
負傷又は前腕部の骨折で治療を受けている人の手にはめた５指手袋と、
手袋甲側の人差し指から小指の４指の各末節部分及び中節部分に、母指部分のみ末節部分と基節部分に固定した紐またはゴム紐と、
前記紐またはゴム紐に先端を取り付け、かつ他端にゴム紐固定片を固定した５本のゴム紐と、
前記のゴム紐固定片を、手袋の手首部外側に設けた固定片に固定し、手首部内側より連続して伸び出た固定用折込み片を手首部外側に設けた固定片と係り止めする機能回復補助具。
【請求項２】
５指手袋の手首部分に、スチール又は強化プラスチックからなる手首固定片の強化部分を設けた請求項１記載の機能回復補助具。
【発明の詳細な説明】
【技術分野】
【０００１】
本発明は、負傷者又は腕の骨折の治療をしている人、ゴルフその他色々のスポーツをした後のアフターケアに使用すると、ストレッチの効果が得られそして疲労回復が早められ、又は負傷者、骨折の治療をしている人の機能回復を促進助勢する補助具である。
【背景技術】
【０００２】
本発明は、負傷、特に腕の骨折が原因でリハビリの治療を受けている人達にとって、治療を受けている間は筋肉が萎縮するため、前腕部の萎縮した橈側手根屈筋や尺側手根屈筋を伸ばしてやる必要がある。従って手首を外側にそり返すことで、前腕部の橈側手根屈筋及び尺側手根屈筋を伸ばして萎縮を押さえることで、機能回復が早まり同時に指力や握力の機能回復や機能改善をすることが出来る補助具である。
【０００３】
しかしこれまでこの種の指あるいは手の機能回復補助具は、市販品には見当たらなかった。    本出願人は、前記目的の機能回復補助具として先に特願２００８−２７８４５３号記載の発明を提案した。
【先行技術文献】
【特許文献】
【０００４】
【特許文献１】特願２００８−２７８４５３号
【発明の概要】
【発明が解決しようとする課題】
【０００５】
本発明は、このようなこれまでの負傷者、又は腕の骨折をした人の状況に応じた機能回復補助具が提供されていないという課題を解決し、負傷者や、骨折者にとって少しでも手や腕の機能が回復改善強化するように、機能回復を促進する補助具を提供するものである。
【課題を解決するための手段】
【０００６】
本発明は、５本の指をそれぞれ差し込む袋部をもった５指手袋を手にはめ、この手袋の手首部分外側に、母指部分はその末節部分及び基節部分に、他の４指は手袋の末節部分及び中節部分にそれぞれ固定された紐と、この各紐に先端部分が固定されて伸び出たゴム紐を一つに束ねるか又は１指ずつ、あるいは親指と小指は１指ずつとし、人差し指、中指、薬指の３指を一つに束ねた他端を手袋の手首の外側部分に設けた固定片部分にゴム紐固定片部で固定し、このゴム紐固定片部の上側に手首部分内側より伸び出た固定用折込み片を重ね合わせ、固定片部分と固定用折込み片とでゴム紐固定片部を挟んで固定する。
この５指手袋をはめた手首を、ゴム紐の張力で外側に反り返らせることで、手首に連なった前腕部の萎縮した筋肉、主に橈側手根屈筋及び尺側手根屈筋を伸ばす。この状態から引き続いて手首を内側に折り、指を握ると指や手、腕にゴム紐の張力に優る負荷が掛かる。この一連の動作を繰り返すことで指や手、腕の筋力が高まり指力や握力、腕力を回復するのに役立つ。この一連動作を手や指の負傷や障害状態に応じて繰り返し行うことで、機能回復を促進することが出来る補助具である。
【発明の効果】
【０００７】
本発明は、以上の通り傷害者や骨折等で前腕部あるいは手や指の機能が低下した人達の萎縮した筋肉のリハビリを手助けし、機能回復を計る補助具である。
【図面の簡単な説明】
【０００８】
【図１】本発明の補助具を手に付けて指を全て伸ばした図である。
【図２】同補助具を手に付け、指を半分伸した図である。
【図３】同補助具を手に付け、固定片部分と固定用折込み片でゴム紐固定片部挟んで固定し手を握った図である。
【発明を実施するための形態】
【０００９】
以下、本発明の実施形態の補助具を、図１、図２、図３に基づいて説明する。
【００１０】
図１は傷害を負った手、ここでは左手に５指手袋をはめ、指を伸ばした状態を示す。図中１は５指手袋、２−１は手首部外側に設けた固定片、２−２は手首部内側より連続して伸び出た固定用折込み片、３はゴム紐固定片であり、これは固定片２−１に固定する。４−１は末節部分に、４−２は中節部分に固定されたゴム紐又は布紐で、母指のみその末節部分及び基節部分に取り付けられている。５は４−１および４−２のゴム紐又は布紐に一端を固定し、他端を一つに束ねるか、１指ずつに、あるいは母指と小指は一指ずつに、人差し指、中指、薬指３指を一つに束ねたゴム紐（図ではこの第３の例を図示）である。ゴム紐５の他端は前記のゴム紐固定片３に取り付けられている。
【００１１】
固定片２−１、固定用折込み片２−２の向き合う片面には係り止めのために、クラレ株式会社の登録商標マジックテープで知られたような、釣部とループ部とからなる雄面と雌面が縫い付けられている。固定用折込み片と固定片との止めかたは、前記の鈎部とループ部の係り止めのほか、スナップリングによる止めやボタン止めでも良い。
【００１２】
しかし使用者の手首の太さ等に応じて固定位置の調整が最も容易な止め方は、前記のマジックテープによるものである。図２中、６で示した黒く塗りつぶした部分は、手にはめた手袋がゴム紐５の張力で手首部から指の方に移動しないようにしている強化部分であり、スチール又は強化プラスチックを袋部に差し込むか又は縫い付ける。図２は、図１に示す状態から、指を半分握った状態を示す。図３はこの補助具を手に付けて指を握った図であり、手首固定片２−１にゴム紐固定片３を重ね、これを固定片２−１と固定用折込み片２−２で挟んで固定した図である。
【００１３】
このとき５で示すゴム紐は、その有している弾力に勝った力で指先側に引っ張られる。従ってゴム紐を引っ張るという負荷が指に掛かり、その時指により一層力を入れることで、指力あるいは握力、前腕部を強化することが出来る。この一連の動作を繰り返し行うことで指、手、腕の筋力を高め、これらの部分の機能回復強化が出来る。
【符号の説明】
【００１４】
１      ５指手袋
２−１  手首部を固定する固定片
２−２  固定用折り込み片
３      ゴム紐固定片
４−１  手袋の各末節部分に取り付けたゴム紐又は布紐
４−２  手袋の各中節部分に取り付けたゴム紐又は布紐      
５      ゴム紐
６      手首固定片部の強化部分
【図１】
2011139754.tif 000003
【図２】
2011139754.tif 000004
【図３】
2011139754.tif 000005